【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
マルチメディアシステムにおける送信エンティティがパケットを送信する方法であって、
前記パケットを生成するステップと、ここで、前記パケットのペイロードは、ＡＤＣ（asset delivery characteristics）メッセージを含み、
前記パケットを受信エンティティに送信するステップと、を含み、
前記ＡＤＣメッセージに含まれたＡＤＣに関連した情報は、アセット伝達のためのＱｏＳ（Quality of service）要求事項を含むＱｏＳディスクリプタと、前記アセット伝達のためのアセットの統計関連情報を提供するビットストリームディスクリプタを含むことを特徴とする方法。
【請求項２】
前記ＱｏＳディスクリプタに含まれた前記ＱｏＳ要求事項は、前記アセット伝達のための遅延及び損失に対するＱｏＳレベルに対応し、
ここで、前記ＱｏＳディスクリプタは、前記アセット伝達のための損失許容量（loss tolerance）、前記アセット伝達のための前記受信エンティティと前記送信エンティティの間の要求されるジッターレベル、予め定義された方式に基づいて各ビットストリームを管理するためのサービスのクラス及び前記アセット伝達のために双方向伝達が要求されるか否かを指示する双方向インジケータを含むことを特徴とする請求項１に記載の方法。
【請求項３】
前記ビットストリームディスクリプタは、ＣＢＲ（constant bit rate）及びＶＢＲ（variable bit rate）を含むサービスクラスによって分類され、
前記ＣＢＲのビットストリームディスクリプタは、連続的なアセット伝達のために保証される最小ビットレートを指示する持続可能なレート、前記アセット伝達のための最大バッファーサイズ、前記連続的なアセット伝達の間に最も高いビットレートを指示するピークレート、前記アセットを構成する少なくとも一つのＭＰＵ（media processing unit）から分割されたＭＦＵ（media fragment unit）の最大サイズ、及び連続的なアセット伝達の間に前記ＭＦＵの送信タイムインターバルを指示する周期を含み、
前記ＶＢＲのビットストリームディスクリプタは、前記ピークレート、前記ＭＦＵの最大サイズ及び前記周期を含むことを特徴とする 請求項１に記載の方法。
【請求項４】
前記ＡＤＣメッセージに含まれた前記ＡＤＣに関連した情報をアップデートするステップと、
前記受信エンティティに前記アップデートされた情報を周期的に送信するステップと、をさらに含むことを特徴とする請求項１に記載の方法。
【請求項５】
前記ＡＤＣメッセージに含まれた前記ＡＤＣに関連した情報は、前記ＡＤＣメッセージを指示するメッセージ識別子と、前記ＡＤＣメッセージのバージョン、前記ＡＤＣメッセージに関連した有効開始時間及び有効デュレーション、前記パケットの識別子をさらに含むことを特徴とする請求項１に記載の方法。
【請求項６】
マルチメディアシステムにおける受信エンティティがパケットを受信する方法であって、
送信エンティティからパケットを受信するステップと、
前記パケットのペイロードに含まれたＡＤＣ（asset delivery characteristics）メッセージを識別するステップとを含み、
前記ＡＤＣメッセージに含まれたＡＤＣに関連した情報は、アセット伝達のためのＱｏＳ（Quality of service）要求事項を含むＱｏＳディスクリプタと、前記アセット伝達のためのアセットの統計関連情報を提供するビットストリームディスクリプタを含むことを特徴とする方法。
【請求項７】
前記ＱｏＳディスクリプタに含まれた前記ＱｏＳ要求事項は、前記アセット伝達のための遅延及び損失に対するＱｏＳレベルに対応し、
ここで、前記ＱｏＳディスクリプタは、前記アセット伝達のための損失許容量（loss tolerance）、前記アセット伝達のための前記受信エンティティと前記送信エンティティの間の要求されるジッターレベル、予め定義された方式に基づいて各ビットストリームを管理するためのサービスのクラス及び前記アセット伝達のために双方向伝達が要求されるか否かを指示する双方向インジケータを含むことを特徴とする請求項６に記載の方法。
【請求項８】
前記ビットストリームディスクリプタは、ＣＢＲ（constant bit rate）及びＶＢＲ（variable bit rate）を含むサービスクラスによって分類され、
前記ＣＢＲのビットストリームディスクリプタは、連続的なアセット伝達のために保証される最小ビットレートを指示する持続可能なレート、前記アセット伝達のための最大バッファーサイズ、前記連続的なアセット伝達の間に最も高いビットレートを指示するピークレート、前記アセットを構成する少なくとも一つのＭＰＵ（media processing unit）から分割されたＭＦＵ（media fragment unit）の最大サイズ、及び連続的なアセット伝達の間に前記ＭＦＵの送信タイムインターバルを指示する周期を含み、
前記ＶＢＲのビットストリームディスクリプタは、前記ピークレート、前記ＭＦＵの最大サイズ及び前記周期を含むことを特徴とする請求項６に記載の方法。
【請求項９】
前記送信エンティティから周期的にアップデートされた前記ＡＤＣメッセージに含まれた前記ＡＤＣに関連した情報を受信するステップをさらに含むことを特徴とする請求項６に記載の方法。
【請求項１０】
前記ＡＤＣメッセージに含まれた前記ＡＤＣに関連した情報は、前記ＡＤＣメッセージを指示するメッセージ識別子と、前記ＡＤＣメッセージのバージョン、前記ＡＤＣメッセージに関連した有効開始時間及び有効デュレーション、前記パケットの識別子をさらに含むことを特徴とする請求項６に記載の方法。
【請求項１１】
マルチメディアシステムにおけるパケットを送信する送信エンティティであって、
前記パケットを生成する制御部と、ここで、前記パケットのペイロードはＡＤＣ（asset delivery characteristics）メッセージを含み、
前記パケットを受信エンティティに送信する送受信部とを含み、
前記ＡＤＣメッセージに含まれたＡＤＣに関連した情報は、アセット伝達のためのＱｏＳ（Quality of service）要求事項を含むＱｏＳディスクリプタと前記アセット伝達のためのアセットの統計関連情報を提供するビットストリームディスクリプタを含むことを特徴とする送信エンティティ。
【請求項１２】
前記ＱｏＳディスクリプタに含まれた前記ＱｏＳ要求事項は、前記アセット伝達のための遅延及び損失に対するＱｏＳレベルに対応し、
ここで、前記ＱｏＳディスクリプタは前記アセット伝達のための損失許容量（loss tolerance）、前記アセット伝達のための前記受信エンティティと前記送信エンティティの間の要求されるジッターレベル、予め定義された方式に基づいて各ビットストリームを管理するためのサービスのクラス及び前記アセット伝達のために双方向伝達が要求されるか否かを指示する双方向インジケータを含むことを特徴とする請求項１１に記載の送信エンティティ。
【請求項１３】
前記ビットストリームディスクリプタはＣＢＲ（constant bit rate）及びＶＢＲ（variable bit rate）を含むサービスクラスによって分類され、
前記ＣＢＲのビットストリームディスクリプタは、連続的なアセット伝達のために保証される最小ビットレートを指示する持続可能なレート、前記アセット伝達のための最大バッファーサイズ、前記連続的なアセット伝達の間に最も高いビットレートを指示するピークレート、前記アセットを構成する少なくとも一つのＭＰＵ（media processing unit）から分割されたＭＦＵ（media fragment unit）の最大サイズ、及び連続的なアセット伝達の間に前記ＭＦＵの送信タイムインターバルを指示する周期を含み、
前記ＶＢＲのビットストリームディスクリプタは、前記ピークレート、前記ＭＦＵの最大サイズ及び前記周期を含むことを特徴とする請求項１１に記載の送信エンティティ。
【請求項１４】
前記制御部は、前記ＡＤＣメッセージに含まれた前記ＡＤＣに関連した情報をアップデートし、前記受信エンティティに前記アップデートされた情報を周期的に送信するように前記送受信部を制御することを特徴とする請求項１１に記載の送信エンティティ。
【請求項１５】
前記ＡＤＣメッセージに含まれた前記ＡＤＣに関連した情報は、前記ＡＤＣメッセージを指示するメッセージ識別子と、前記ＡＤＣメッセージのバージョン、前記ＡＤＣメッセージに関連した有効開始時間及び有効デュレーション、前記パケットの識別子をさらに含むことを特徴とする請求項１１に記載の送信エンティティ。
【請求項１６】
マルチメディアシステムにおけるパケットを受信する受信エンティティであって、
送信エンティティからパケットを受信する送受信部と、
前記パケットのペイロードに含まれたＡＤＣ（asset delivery characteristics）メッセージを識別する制御部とを含み、
前記ＡＤＣメッセージに含まれたＡＤＣに関連した情報は、アセット伝達のためのＱｏＳ（Quality of service）要求事項を含むＱｏＳディスクリプタと前記アセット伝達のためのアセットの統計関連情報を提供するビットストリームディスクリプタを含むことを特徴とする受信エンティティ。
【請求項１７】
前記ＱｏＳディスクリプタに含まれた前記ＱｏＳ要求事項は前記アセット伝達のための遅延及び損失に対するＱｏＳレベルに対応し、
ここで、前記ＱｏＳディスクリプタは前記アセット伝達のための損失許容量（loss tolerance）、前記アセット伝達のための前記受信エンティティと前記送信エンティティの間の要求されるジッターレベル、予め定義された方式に基づいて各ビットストリームを管理するためのサービスのクラス及び前記アセット伝達のために双方向伝達が要求されるか否かを指示する双方向インジケータを含むことを特徴とする請求項１６に記載の受信エンティティ。
【請求項１８】
前記ビットストリームディスクリプタはＣＢＲ（constant bit rate）及びＶＢＲ（variable bit rate）を含むサービスクラスによって分類され、
前記ＣＢＲのビットストリームディスクリプタは、連続的なアセット伝達のために保証される最小ビットレートを指示する持続可能なレート、前記アセット伝達のための最大バッファーサイズ、前記連続的なアセット伝達の間に最も高いビットレートを指示するピークレート、前記アセットを構成する少なくとも一つのＭＰＵ（media processing unit）から分割されたＭＦＵ（media fragment unit）の最大サイズ、及び連続的なアセット伝達の間に前記ＭＦＵの送信タイムインターバルを指示する周期を含み、
前記ＶＢＲのビットストリームディスクリプタは、前記ピークレート、前記ＭＦＵの最大サイズ及び前記周期を含むことを特徴とする請求項１６に記載の受信エンティティ。
【請求項１９】
前記送受信部は、前記送信エンティティから周期的にアップデートされた前記ＡＤＣメッセージに含まれた前記ＡＤＣに関連した情報を受信することを特徴とする請求項１６に記載の受信エンティティ。
【請求項２０】
前記ＡＤＣメッセージに含まれた前記ＡＤＣに関連した情報は、前記ＡＤＣメッセージを指示するメッセージ識別子と、前記ＡＤＣメッセージのバージョン、前記ＡＤＣメッセージに関連した有効開始時間及び有効デュレーション、前記パケットの識別子をさらに含むことを特徴とする請求項１６に記載の受信エンティティ。
【手続補正２】
【補正対象書類名】明細書
【補正対象項目名】００２１
【補正方法】変更
【補正の内容】
【００２１】
(２)Partial ADC Delivery with Time Duration
本発明の他の実施形態では、該当アセットの全体ＡＤＣ情報のうち部分時区間に対応する一部ＡＤＣ情報を抽出し、抽出した一部ＡＤＣ情報をＡＤＣシグナリングメッセージに含め、抽出した一部ＡＤＣ情報を含んだＡＤＣシグナリングメッセージをＭＭＴベース受信エンティティに伝送する、時区間を有するパーシャルＡＤＣデリバリー（Partial ADC Delivery with Time Duration）方法を提案する。具体的に、本発明の他の実施形態によるＡＤＣシグナリングメッセージは、一部ＡＤＣ情報と、上記一部ＡＤＣ情報の有効時間情報を含む。上記有効時間情報は、例えば、下記＜表２＞のPartial ADC Delivery with Time Duration Caseに示すように、“Ｖａｌｉｄ＿Ｐｅｒｉｏｄ”フィールドの形態にてＡＤＣシグナリングメッセージに含まれる。
【手続補正３】
【補正対象書類名】明細書
【補正対象項目名】００２２
【補正方法】変更
【補正の内容】
【００２２】
【表２】
2017511991.tif 000001
上記＜表２＞を参照すれば、本発明の他の実施形態によるＡＤＣシグナリングメッセージは、一部ＡＤＣ情報を含むことによって上記一部ＡＤＣ情報に対する“Ｖａｌｉｄ＿Ｐｅｒｉｏｄ”を含む。また、他の実施形態によるＡＤＣシグナリングメッセージは、一実施形態に係るＡＤＣシグナリングメッセージに含まれる “Packet_id”、“flow_label”及び“ADC_type”をさらに含む。送信エンティティが“Ｖａｌｉｄ＿Ｐｅｒｉｏｄ”フィールドを含むＡＤＣシグナリングメッセージを送信した後、上記“Ｖａｌｉｄ＿Ｐｅｒｉｏｄ”フィールドに設定された有効時間が満了すると、送信エンティティは、新たな期間が設定された“Ｖａｌｉｄ＿Ｐｅｒｉｏｄ”フィールドを含むＡＤＣを周期的に伝送してもよい。上記＜表２＞に図示しないが、“Ｖａｌｉｄ＿Ｐｅｒｉｏｄ”フィールドに含まれる情報は、例えば、開始時間に対応する値と、該当ＡＤＣシグナリングメッセージに含まれるＡＤＣ情報の有効時間の時区間に対応する値と、に細分化されてもよい。
【手続補正４】
【補正対象書類名】明細書
【補正対象項目名】００２４
【補正方法】変更
【補正の内容】
【００２４】
上記バージョン情報は、例えば、下記＜表３＞のPartial ADC Delivery with Version Information Caseに示すように、“version”情報形態で含まれることができる。
【手続補正５】
【補正対象書類名】明細書
【補正対象項目名】００２５
【補正方法】変更
【補正の内容】
【００２５】
【表３】
2017511991.tif 000002
上記＜表３＞を参照すれば、本発明のさらに他の実施形態によるＡＤＣシグナリングメッセージは、該当アセットに対する一部ＡＤＣ情報及び“version”を含みつつ、追加的に、一実施形態によるＡＤＣシグナリングメッセージが含む、‘Packet_id’と‘flow_label’及び‘ADC_type’をさらに含む。
【手続補正６】
【補正対象書類名】明細書
【補正対象項目名】００３８
【補正方法】変更
【補正の内容】
【００３８】
t１時点３００で使用可能なネットワークリソース量をＡｖａｉｌ(t)と定義すれば、中間ノードは、上記Ａｖａｉｌ(t)を下記数式を利用して次のように計算できる。上記Ａｖａｉｌ(t）の計算は、図３の動的リソース管理部２２６を通して計算できる。
【手続補正７】
【補正対象書類名】明細書
【補正対象項目名】００３９
【補正方法】変更
【補正の内容】
【００３９】
＜数式＞
Ａｖａｉｌ(t)= Ａ１(t)-ａ１(t) + Ａ２(t)-ａ２(t) + ... +Ａｎ(t)-ａｎ(t), (但し、Ａ＝Ａ１+Ａ２+Ａ３．．+Ａｎ)
上記数式で示すように、各メディアデータに対応するトラフィックに対してＲＳＶＰに基づいて割り当てられたリソース量で実際に要求されるリソース量を減算して使用可能なネットワークリソース量を取得する。メディアトラフィック１の使用可能リソース量３０２は、ｔ１時点のＡ１からａ１を減算して取得され、メディアトラフィック２の使用可能リソース量３０４は、ｔ１時点のＡ２からａ２を減算して取得される。また、メディアトラフィック３の使用可能リソース量３０６は、ｔ１時点のＡ３からａ３を減算して取得される。動的リソース管理部２２６は、各メディアデータの使用可能なネットワークリソース量を加えることで使用可能なネットワークリソース総量を計算できる。したがって、本発明の実施形態による動的リソース管理部２２６は、計算されたＡｖａｉｌ(t)を他の第３のトラフィックのためのネットワークリソースリクエストに割り当てることができる。
【手続補正８】
【補正対象書類名】明細書
【補正対象項目名】００４０
【補正方法】変更
【補正の内容】
【００４０】
本発明の実施形態による中間ノードで、ネットワークリソース予約処理部２２２は、ＭＭＴで定義されていない別途のプロトコル、例えば、ＲＳＶＰを利用してＭＭＴメディアデータの伝送のためにネットワークリソースを予約できる。
【手続補正９】
【補正対象書類名】明細書
【補正対象項目名】００４１
【補正方法】変更
【補正の内容】
【００４１】
送受信部２３２は、ＭＭＴ送信エンティティ２１０から受信したＭＭＴパケットをＭＭＴ受信エンティティ２４０に伝送する。また、ネットワークリソース割り当て部２２４は、中間ノード２２０のネットワークリソースを特定のトラフィックに割り当てる。また、リソース現況モニターリング部２２８は、中間ノード２２０のネットワークリソースの利用現況をモニターリングする。すなわち、リソース現況モニターリング部２２８は、リアルタイムで該当メディアデータに対応するトラフィック別に実際要求されるリソース量(図３の、ａ１、ａ２、ａ３に該当する）を確認して動的リソース管理部２２６に伝達する。
【手続補正１０】
【補正対象書類名】明細書
【補正対象項目名】００４２
【補正方法】変更
【補正の内容】
【００４２】
最後に、ＭＭＴ受信エンティティ２４０は、ネットワークリソース予約処理部２４２と、バッファー管理部２４４と、動的リソース管理部２４６と、ＡＤＣ検出部２４８と、ＭＭＴパケット受信部２５０と、により構成される。動的リソース管理部２４６は、ＭＭＴ送信エンティティ２１０が送信したＡＤＣ情報を受信し、上記ＡＤＣ情報に基づいて該当メディアデータに対応するトラフィック別の変化特性を取得する。また、上記変化特性を考慮して、変化特性を、ネットワークリソースリクエストを効率的にアップデートするために適用する。動的リソース管理部２４６が、ＭＭＴ受信エンティティとＭＭＴ送信エンティティの間のＲＳＶＰに基づくネットワークリソース予約を実行する時、上記ＡＤＣ情報から取得した“Ｖａｌｉｄ＿Ｐｅｒｉｏｄ”、“version”情報などを使用できる。また、動的リソース管理部２２６は、ＡＤＣ情報を、ＭＭＴ受信エンティティ２４０のバッファーで確保すべきバッファー量として活用できる。ＡＤＣ検出部２４８は、受信したＭＭＴパケットを監視し、監視されたＭＭＴパケット内のＡＤＣシグナリングメッセージのＡＤＣ情報を抽出する。例えば、ＭＭＴパケットを構成するパケットヘッダのタイプフィールドと上記ＡＤＣシグナリングメッセージに含まれたmessage_id情報などを根拠にして該当メッセージがＡＤＣ情報を含んでいるか否かを判断できる。また、ネットワークリソース予約処理部２４２は、ＭＭＴで定義していない別途のプロトコル、例えば、ＲＳＶＰに基づいて、ＭＭＴメディアデータの伝送のためのネットワークリソース予約を処理する。受信部２５０は、ＭＭＴ送信エンティティ２１０から伝達されたＭＭＴパケットを受信して処理する。